(57)【要約】【課題】複雑な地形に配置しても、設置も容易で見栄えの良い篭体及び土留め構造を提供する。【解決手段】本発明に係る篭体、及び篭体を使用した土留め構造は、内部に中詰材を詰める篭体であって、連結され篭体の側面を構成する壁部を備える。壁部は、互いに対向する第１壁部及び第２壁部と、第１壁部及び第２壁部に連結される２つの側壁部を備える。第１壁部は、水平方向の長さが第２壁部よりも長い。【選択図】図１
2019031779.tif 000002
【特許請求の範囲】
【請求項１】
内部に中詰材を詰める篭体であって、
連結され篭体の側面を構成する壁部を備え、
前記壁部は、
互いに対向する第１壁部及び第２壁部と、
前記第１壁部の端部及び前記第２壁部の端部に連結される２つの側壁部を備え、
前記第１壁部は、
水平方向の長さが前記第２壁部よりも長い、篭体。
【請求項２】
２つの前記側壁部は、
水平方向の長さが等しい、請求項１に記載の篭体。
【請求項３】
前記第１壁部と前記第２壁部とは、
平行に配置されている、請求項１又は２に記載の篭体。
【請求項４】
前記第１壁部の下端部と前記第２壁部の下端部との間に架け渡される底面材を備える、請求項１〜３の何れか１項に記載の篭体。
【請求項５】
前記底面材は、
前記第１壁部に固定されている第１固定部から前記第２壁部に固定されている第２固定部を結ぶ仮想線が前記第１壁部又は前記第２壁部に直交しないように配置されている、請求項４に記載の篭体。
【請求項６】
複数の前記底面材を備え、
一部の前記底面材は、
当該一部の前記底面材の前記第１壁部に固定されている第１固定部から前記第２壁部に固定されている第２固定部を結ぶ仮想線と当該一部の前記底面材以外の前記底面材の前記第１固定部から前記第２固定部を結ぶ仮想線とが交差するように、配置されている、請求項４に記載の篭体。
【請求項７】
一部の前記底面材以外の前記底面材は、
前記第１壁部に固定されている第１固定部から前記第２壁部に固定されている第２固定部を結ぶ仮想線が前記第１壁部及び前記第２壁部に対し直交している、請求項６に記載の篭体。
【請求項８】
一部の前記底面材は、
前記側壁部側に配置され、
一部の前記上面材以外の前記上面材は、
前記第１壁部の中央部に固定されている、請求項７に記載の篭体。
【請求項９】
前記第１壁部の上端部と前記第２壁部の上端部との間に架け渡される上面材を備える、請求項１〜８の何れか１項に記載の篭体。
【請求項１０】
前記上面材は、
前記第１壁部に固定されている第１固定部から前記第２壁部に固定されている第２固定部を結ぶ仮想線が前記第１壁部又は前記第２壁部に直交しないように配置されている、請求項９に記載の篭体。
【請求項１１】
複数の前記上面材を備え、
一部の前記上面材は、
当該一部の前記上面材の前記第１壁部に固定されている第１固定部から前記第２壁部に固定されている第２固定部を結ぶ仮想線と当該一部の前記上面材以外の前記上面材の前記第１固定部から前記第２固定部を結ぶ仮想線とが交差する向きに、配置されている、請求項９に記載の篭体。
【請求項１２】
一部の前記上面材以外の前記上面材は、
前記第１壁部に固定されている第１固定部から前記第２壁部に固定されている第２固定部を結ぶ仮想線が前記第１壁部及び前記第２壁部に対し直交している、請求項１１に記載の篭体。
【請求項１３】
一部の前記上面材は、
前記側壁部側に配置され、
一部の前記上面材以外の前記上面材は、
前記第１壁部の中央部に固定されている、請求項１２に記載の篭体。
【請求項１４】
請求項１〜１３の何れか１項に記載の篭体を水平方向に複数並べて構成される土留め構造であって、
隣合った２つの篭体は、
前記第１壁部を谷側に向け、互いの前記第１壁部の端部同士を突き合わせて配置される、土留め構造。
【請求項１５】
請求項１〜１３の何れか１項に記載の篭体を水平方向に複数並べて構成される土留め構造であって、
隣合った２つの篭体は、
互いの前記第１壁部の端部と前記第２壁部の端部とを突き合わせて配置される、土留め構造。
【発明の詳細な説明】
【技術分野】
【０００１】
本発明は、土木工事において土留めや堰堤等に用いられる篭体及び篭体を使用した土留め構造に関する。
【背景技術】
【０００２】
従来、土留めや堰堤等を目的として、篭体の内部に石を詰めて現場の施工領域に設置する篭工が知られている。篭工において用いられる篭体は、一般的には直方体状に形成されている。このような篭体の各面は、縦材と横材を用いて格子状に形成されていたり、ワイヤー等を用いて網目状に形成されている。石を詰めた篭体は、施工領域に横方向に並んで設置されると共に、縦方向に積み重ねて設置される。施工領域は、常に篭体を整然と設置できるような状態にあるわけではない。具体的には、施工領域が道路や河川等に沿って曲がっているような場合には、篭体も道路や河川等に沿って並べる必要がある。この場合、並べられた隣合う篭体の間には隙間が生じてしまい、土留めとしての機能が損なわれるだけでなく、見栄えが悪くなるという課題があった。この課題を解決するものとして、例えば特許文献１に開示されている篭体がある。
【０００３】
特許文献１には、内部に中詰材を詰めて施工箇所に載置される篭体が開示されている。篭体は、立設された互いに対向する第１の壁部と第２の壁部とを備えており、第１の壁部における底部の面方向に沿った長さは、第２の壁部における底部の面方向に沿った長さよりも長い。そして、第１の壁部は、一端が底部から突出した突出部を有している。つまり、特許文献１に係る篭体は、直方体の篭部から第１の壁部の一端だけ突出している。道路や河川等に沿って曲がった施工領域に篭体を設置する場合、突出部を備える直方体状の２つの篭体を並べ、それぞれの第１の壁部及び第２の壁部が平行でない状態で配置される。例えば、道路や河川等において、谷側に対し凸になっている曲線に沿って篭体を並べた場合、２つの篭体の篭部の間には上面視において谷側が開き山側が閉じた隙間が生じるが、２つの篭体の突出部同士を連結し、２つの篭部の間に生じた隙間を塞ぐ構成になっている。
【先行技術文献】
【特許文献】
【０００４】
【特許文献１】特開２０１５−１６８９２５号公報
【発明の概要】
【発明が解決しようとする課題】
【０００５】
しかし、特許文献１に開示された篭体は、突出部で塞がれた隙間に間詰め用の石等を充填する必要がある。２つの篭部の間の隙間は、上面視において、山側が鋭角になって閉じており谷側が開いているが隣合った篭体の突出部同士を連結させて塞いでいる。この山側が鋭角になっている隙間に石を充填するには、本来充填する石よりも小さい石を充填する必要があり、石の充填にあたりサイズの変更などの調整をする必要がある、という課題があった。また、隙間の上面を塞ぐ部材が必要になり、篭体が所定の角度になるように並べる必要があるため、河川等の複雑な曲線に応じて自由に篭体を並べられないという課題があった。または、隣接した２つの篭体のなす角度を調整するには、長さが調整可能な部材を使用して隙間の上面を塞ぐ必要があるため、篭体を構成する部品点数が増加するといった課題があった。
【０００６】
さらには、複数の篭体により構成される土留め構造は、山側から谷側に向かって荷重がかかるが、全ての施工範囲において均一に荷重がかかるわけではない。各篭体に篭体の山側を向いた面に対し垂直方向のみに荷重がかかるだけでなく、例えば山側を向いた面に対し斜め方向から荷重がかかった場合に篭体を構成する部材に横方向から力がかかり、直方体状の篭体が全体的に変形したり、篭体を構成する部材が変形する等の課題があった。
【０００７】
本発明は、上記の課題を解決するものであり、道路や河川等の複雑な曲線に沿って土留めや堰堤等を構成する場合であっても、曲線に沿って自由に配置でき、強固かつ設置も容易な篭体及び土留め構造を提供することを目的とする。
【課題を解決するための手段】
【０００８】
（ｉ）本発明に係る篭体は、内部に中詰材を詰める篭体であって、連結され篭体の側面を構成する壁部を備え、前記壁部は、互いに対向する第１壁部及び第２壁部と、前記第１壁部の端部及び前記第２壁部の端部に連結される２つの側壁部を備え、前記第１壁部は、水平方向の長さが前記第２壁部よりも長い。
【０００９】
（ｉｉ）本発明に係る土留め構造は、上記（ｉ）に記載の篭体を水平方向に複数並べて構成される土留め構造であって、隣合った２つの前記篭体は、前記第１壁部を谷側に向け、互いの前記第１壁部の端部同士を突き合わせて配置される。
【００１０】
（ｉｉｉ）本発明に係る土留め構造は、上記（ｉ）に記載の篭体を水平方向に複数並べて構成される土留め構造であって、隣合った２つの前記篭体は、互いの前記第１壁部の端部と前記第２壁部の端部とを突き合わせて配置される。
【発明の効果】
【００１１】
上記（ｉ）〜（ｉｉｉ）の構成により、篭体及び土留め構造は、以下の効果を奏する。本発明によれば、篭体が上面から見て台形の四角柱状に構成されているため、谷側の面に隙間を生じさせることなく、曲線及び直線に沿って篭体を配置させることができる。よって、この篭体を用いることにより、複雑な地形に篭体を配置した場合であっても、設置も容易で見栄えの良い土留め構造を得ることができる。
【図面の簡単な説明】
【００１２】
【図１】本発明の実施の形態１に係る篭体の平面図である。
【図２】図１の篭体の正面図である。
【図３】図１の篭体の側面図である。
【図４】図１の篭体の底面図である。
【図５】実施の形態１に係る篭体を使用した土留め構造の平面図である。
【図６】図５の土留め構造の断面図である。
【図７】実施の形態１の土留め構造の比較例としての土留め構造の平面図である。
【発明を実施するための形態】
【００１３】
以下に、本発明に係る篭体１０及び土留め構造１００の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１４】
実施の形態１．
図１は、本発明の実施の形態１に係る篭体１０の平面図である。図２は、図１の篭体１０の正面図である。図３は、図１の篭体１０の側面図である。図４は、図１の篭体１０の底面図である。図１〜４に示されるように、篭体１０は、それぞれが格子状に形成された４つの壁部を端部同士で連結して平面視矩形状の枠を形成している。対向する一対の壁部である第１壁部１及び第２壁部２のそれぞれの下端部の間に底面材５２を架け渡して底部５を形成している。そして、第１壁部１及び第２壁部２のそれぞれの上端部の間に上面材６２を架け渡して天井部６を形成している。なお、篭体１０は、上面材６２を取り付けずに用いることもできる。
【００１５】
この篭体１０の内部には、中詰材として、石や土砂等が詰められており、その重さで篭体１０を安定して設置することができると共に、施工区域の環境になじませることができるような構造となっている。
【００１６】
図１及び図４に示されるように、篭体１０は、底面及び上面が台形になっている四角柱状に形成されている。図１に示されるように、篭体１０は、平面視において第１壁部１と第２壁部２とが平行に配置されている。第１壁部１及び第２壁部２に連結されている２つの壁部である側壁部３、４は、同一形状である。つまり、篭体１０は、第１壁部１及び第２壁部２のそれぞれの両端部を側壁部３及び側壁部４により連結され、平面視において等脚台形となるように形成されている。
【００１７】
図１に示されるように、第１壁部１は、底部材１１に立設された縦材１２と、この縦材１２に直交すると共に底部材１１に平行に配置された横材１３とを有している。底部材１１は、一方向に長尺な板材から構成されている。底部材１１は、篭体１０の底部５の一部を構成するものであり、施工領域の面上に設置される部分である。縦材１２は、断面が円形状の鉄筋等で構成されている。縦材１２は、所定間隔をあけて底部材１１に、例えば溶接によって接合されている。横材１３は、一方向に長尺な板材から構成されている。横材１３には、縦材１２を挿通する孔が形成されており、横材１３は、縦材１２に挿通された後、例えば溶接にて縦材１２と接合されている。横材１３は、縦材１２の立設方向（延在方向）に沿って所定間隔をおいて縦材１２に接合されている。縦材１２の上端部には、上面部材１５が取り付けられている。上面部材１５も一方向に長尺な板材から構成されている。縦材１２は、上面部材１５に例えば溶接によって接合されている。
【００１８】
第１壁部１に対向した位置に配置される第２壁部２は、第１壁部１と同様な構成になっており、底部材１１、縦材１２、横材１３、及び上面部材１５を組み合わせて構成されている。ただし、第２壁部２は、第１壁部１よりも図１における幅方向、すなわち篭体１０の底部の外縁に沿った長さが短く形成されている。これに伴い、第２壁部２の底部材１１、横材１３、及び上面部材１５の長手方向寸法は、第１壁部１の底部材１１、横材１３、及び上面部材１５よりも短くなっている。また、第２壁部２を構成する縦材１２の本数は、第２壁部２を構成する底部材１１、横材１３、及び上面部材１５の長手方向寸法に合わせて適宜設定される。ただし、底部材１１、縦材１２、横材１３、及び上面部材１５により構成される格子形状の各格子の大きさは、均一な大きさに設定されるのが望ましい。
【００１９】
図３に示されるように、側壁部３も第１壁部１及び第２壁部２と同様な構成になっており、底部材１１、縦材１２、横材１３、及び上面部材１５を組み合わせて構成されている。実施の形態１に係る篭体１０においては、第１壁部１及び第２壁部２に対し、篭体１０の底部の外縁に沿った長さは短く形成されているが、その長さは適宜設定することができる。また、側壁部３に対向した位置に配置されている側壁部４も、側壁部３と同様に構成されている。
【００２０】
図１〜４に示されるように、第１壁部１、第２壁部２、側壁部３、及び側壁部４は、垂直に立設され、それぞれの水平方向の端部において互いに連結させることによって、篭体１０の側面部を形成している。第１壁部１、第２壁部２、側壁部３、及び側壁部４のそれぞれの底部材１１により、篭体１０の底部の外縁が形成される。また、第１壁部１、第２壁部２、側壁部３、及び側壁部４のそれぞれの上面部材１５により、篭体１０の天井部６の外縁が形成される。
【００２１】
図４に示されるように、底部５には、底面材５２が固定されている。底面材５２は、第１壁部１の底部材１１と第２壁部２の底部材１１との間に複数、所定の間隔をおいて架け渡されている。底面材５２は、一方向に長尺の板状部材である。中央部に配置されている底面材５２ａは、第１壁部１及び第２壁部２に対し垂直に配置されている。また、側壁部３及び側壁部４に隣合って配置されている底面材５２ｂは、側壁部３又は側壁部４に対し平行に配置されている。なお、底面材５２ａと底面材５２ｂとを総称して底面材５２と呼ぶ。実施の形態１において、底面材５２ｂは、側壁部３に隣合っている１つ、及び側壁部４に隣合っている１つだけが配置されているが、更に多数配置されていても良い。このように、底面材５２ａと底面材５２ｂとが平行でないため、篭体１０は、平面視において台形になっている形状が外力により変形しにくくなっており、強度、剛性が高くなっている。なお、側壁部３又は側壁部４に平行になっている底面材５２ｂは、さらに多く設置されていても良い。
【００２２】
また、底面材５２ａ、５２ｂは、それぞれ一方向に長尺の板状部材により形成されているが、幅の広い板状部材であってもよい。例えば、図４に示されている底面材５２ｂが１枚の板状部材により構成されていても良い。
【００２３】
底面材５２は、両端部が第１壁部１の底部材１１と第２壁部２の底部材１１とに固定されている。その固定は、例えば溶接、ボルトを締結させる等の手段で行われる。底面材５２の第１壁部１の底部材１１に固定されている部分を第１固定部５３とし、底面材５２の第２壁部２の底部材１１に固定されている部分を第２固定部５４とする。第１壁部１及び第２壁部２に垂直に配置されている底面材５２ａは、第１固定部５３ａと第２固定部５４ａとを結ぶ仮想線が第１壁部１及び第２壁部２に直交するように配置されている。また、側壁部３又は側壁部４に平行になっている底面材５２ｂは、第１固定部５３ｂと第２固定部５４ｂとを結ぶ仮想線が側壁部３又は側壁部４に平行になるように配置されている。
【００２４】
なお、図４において、底面材５２ａは、厳密に第１壁部１及び第２壁部２に直交してなくとも良い。また、底面材５２ｂは、厳密に側壁部３、４に平行でなくとも良い。例えば、一部の底面材５２ｂの第１固定部５３ｂと第２固定部５４ｂとを結ぶ仮想線５５ｂが側壁部３又は側壁部４に対し平行でなく、一部の底面材５２ｂ以外の底面材５２ａの第１固定部５３ａと第２固定部５４ａとを結ぶ仮想線５５ａが第１壁部１及び第２壁部２に対し垂直でなくともよく、一部の底面材５２ｂと一部の底面材５２ｂ以外の底面材５２ａとが、交差する角度で配置されていれば、篭体１０は、平面視において台形になっている形状が外力により変形しにくくなっており、強度、剛性が高くなる。
【００２５】
図１に示されるように、天井部６には、上面材６２が固定されている。上面材６２は、第１壁部１の上面部材１５と第２壁部２の上面部材１５との間に複数、所定の間隔をおいて架け渡されている。上面材６２は、底面材５２と同様に一方向に長尺の板状部材である。中央部に配置されている上面材６２ａは、第１壁部１及び第２壁部２に対し垂直に配置されている。また、側壁部３及び側壁部４に隣合って配置されている上面材６２ｂは、側壁部３又は側壁部４に対し平行に配置されている。なお、上面材６２ａと上面材６２ｂとを総称して上面材６２と呼ぶ。実施の形態１において、上面材６２ｂは、側壁部３に隣合っている１つ、及び側壁部４に隣合っている１つだけが配置されているが、更に多数配置されていても良い。このように、上面材６２ａと上面材６２ｂとが平行でないため、篭体１０は、平面視において台形になっている形状が外力により変形しにくくなっており、強度、剛性が高くなっている。なお、側壁部３又は側壁部４に平行になっている上面材６２ｂは、さらに多く設置されていても良い。
【００２６】
また、上面材６２ａ、６２ｂは、それぞれ一方向に長尺の板状部材により形成されているが、幅の広い板状部材であってもよい。例えば、図４に示されている上面材６２ｂが１枚の板状部材により構成されていても良い。
【００２７】
上面材６２は、両端部が第１壁部１の上面部材１５と第２壁部２の上面部材１５とに固定されている。その固定は、例えば溶接、ボルトを締結させる等の手段で行われる。上面材６２の第１壁部１の上面部材１５に固定されている部分を第１固定部６３とし、上面部材１５の第２壁部２の上面部材１５に固定されている部分を第２固定部６４とする。第１壁部１及び第２壁部２に垂直に配置されている上面材６２ａは、第１固定部６３ａと第２固定部６４ａとを結ぶ仮想線が第１壁部１及び第２壁部２に直交するように配置されている。また、側壁部３又は側壁部４に平行になっている上面材６２ｂは、第１固定部６３ｂと第２固定部６４ｂとを結ぶ仮想線が側壁部３又は側壁部４に平行になるように配置されている。
【００２８】
なお、図１において、上面材６２ａは、厳密に第１壁部１及び第２壁部２に直交してなくとも良い。また、上面材６２ｂは、厳密に側壁部３、４に平行でなくとも良い。例えば、一部の上面材６２ｂの第１固定部６３ｂと第２固定部６４ｂとを結ぶ仮想線６５ｂが側壁部３又は側壁部４に対し平行でなく、一部の上面材６２ｂ以外の上面材６２ａの第１固定部６３ａと第２固定部６４ａとを結ぶ仮想線６５ａが第１壁部１及び第２壁部２に対し垂直でなくともよく、一部の上面材６２ｂと一部の上面材６２ｂ以外の上面材６２ａとが、交差する角度で配置されていれば、篭体１０は、平面視において台形になっている形状が外力により変形しにくくなっており、強度、剛性が高くなる。
【００２９】
図５は、実施の形態１に係る篭体１０を使用した土留め構造１００の平面図である。図６は、図５の土留め構造１００の断面図である。図５及び図６においては、篭体１０は模式的に表されている。土留め構造１００は、河川や道路等に沿って設けられており、低い側を谷側、高い側を山側として、内部に石を詰めて斜面等に沿って地面に載置されるものである。土留め構造１００は、必要に応じて篭体１０を複数段に重ねて載置される。実施の形態１においては、篭体１０を３段に重ねられているが、この形態に限定されるものではない。
【００３０】
図５に示されるように、同じ高さの地面に載置される篭体１０ａは、谷側に第１壁部１、山側に第２壁部２を向けて配置される。篭体１０ａは、平面視において第１壁部１が第２壁部２よりも長く形成されている。土留め構造１００の直線部１１１、谷側が凸になっている曲線部１１２、及び谷側が凹になっている曲線部１１３においては、隣合った篭体１０ａは、第１壁部１の端部同士を突き合わせて配置されている。このように構成されることにより、滑らかな曲線に沿って篭体１０ａを配置することができる。直線部１１１、曲線部１１２、及び曲線部１１３において隣合った篭体１０ａ同士の間には山側に向かって開いている隙間１２１が生じるが、土留め構造１００は、谷側から見ると全ての施工領域において篭体１０ａが隙間無く並べられているように見える。
【００３１】
図７は、実施の形態１の土留め構造１００の比較例としての土留め構造９００の平面図である。図７において、土留め構造９００を構成する篭体９１０は模式的に表されている。土留め構造９００も、土留め構造１００と同様な地形に配置されている。土留め構造９００においては、平面視において長方形の篭体９１０が使用されている。従って、土留め構造９００の直線部９１１においては、隣合った篭体９１０同士の間に隙間がなく篭体９１０が配置されている。また、谷側に対し凹になっている曲線部９１３においても、篭体９１０同士の間には山側に開いている隙間９２２が生じるが、谷側から見れば篭体９１０は隙間無く配置されているように見える。しかし、谷側に対し凸になっている曲線部９１２においては、隣合った篭体９１０の間に谷側に向かって開いた隙間９２１が生じる。
【００３２】
比較例の土留め構造９００の場合、隣合った篭体９１０の間に谷側に向かって開いた隙間９２１が生じるため、景観を損なうという課題があった。また、隙間９２１を無くすために、隙間９２１に間詰め材として石を詰める場合にも大きな石は詰めることができない。例えば小さい石や土砂等を隙間９２１に詰めたとしても、山側から流れ落ちる流水や、河川の増水により谷側を流れる水などにより、小さい石や土砂などは流されてしまうという課題があった。また、土留め構造９００の谷側を向いた面に隙間９２１があると、河川の増水時に流れてきたゴミ、流木等が隙間９２１に引っ掛かり、隙間９２１にゴミが堆積するなどの課題があった。
【００３３】
一方、実施の形態１に係る土留め構造１００においては、篭体１０ａの間に生じる隙間１２１は、全て山側に面して空いている。この場合、隙間１２１に間詰め材として小さい石や土砂などを詰めても、谷側は篭体１０ａの第１壁部１により塞がれているため、小さい石や土砂が流出するのを抑えることができる。また、隙間１２１に山側の土砂等を自然に入り込ませて隙間１２１を埋めることもできる。特に谷側に対し凹になっている曲線部１１３の隣合った篭体１０ａ同士は、平面視において台形であるため、隙間１２２が大きく間詰め材等を詰めやすいという利点がある。さらには、河川の増水時においても、土留め構造１００の谷側の面は、隙間無く第１壁部１が並べられているため、ゴミなどが引っ掛かり堆積するのを抑制できる。
【００３４】
図５においては、緩やかな曲線に沿って篭体１０ａを配置しているが、隣合った篭体１０ａの側壁部３と側壁部４とを接するように配置することもできるため、曲線部１１２において、さらに曲率半径の小さい曲線に合わせて篭体１０ａを配置することもできる。
【００３５】
また、図５に示されるように、土留め構造１００の直線部１１４においては、篭体１０ａと篭体１０ｂとは、それぞれの第１壁部１と第２壁部２との端部を突き合わせて配置されている。このように篭体１０の谷側に面する壁部を交互に替えて配置することにより、篭体１０の間に隙間を生じさせることなく篭体１０を配置することも可能である。篭体１０は、比較例の篭体９１０と比較して側壁部３及び側壁部４の長さが長い。よって、隣合った篭体１０同士の接触する面が大きくなり、土留め構造１００の直線部１１４において谷側又は山側から荷重を受けた場合、比較例の土留め構造９００よりも篭体１０は移動しにくくなっている。また、直線部１１４において篭体１０ａは、谷側から荷重を受けた場合、接している両隣の篭体１０ｂの側壁部３、４にも荷重が分散されるため、比較例の土留め構造９００の直線部９１１よりも篭体１０が移動しにくくなっている。
【００３６】
さらに、図５に示されるように、土留め構造１００の谷側に対し凹となっている曲線部１１５においては、篭体１０ｂと篭体１０ｃとは、第２壁部２を谷側に向けて配置されている。谷側に対し凹となっている曲線部１１５において、曲率半径が小さい場合には、第２壁部２を谷側に向けて配置しても良い。つまり、篭体１０は、谷側に対し凹となっている曲線部１１５においては、第２壁部２を谷側に向け、谷側に対し凸となっている曲線部１１２においては、第１壁部１を谷側に向けるようにし、曲線部が谷側に対し内Ｒ形状になっているか、外Ｒ形状になっているかにより、篭体１０の向きを使い分けることができるという利点がある。
【００３７】
実施の形態１においては、篭体１０の第１壁部１及び第２壁部２の水平方向の長さの設定は、第１壁部１の長さＬ１は３０００ｍｍ、第２壁部２の長さＬ２は２７４０ｍｍに設定されている。また、第１壁部１の外側の面から第２壁部２の外側の面までの寸法は、２０００ｍｍに設定されている。実施の形態１の篭体１０の寸法は、一例であり、この寸法設定だけに限定されるものではない。また、実施の形態１において、第１壁部１及び第２壁部２の水平方向の長さを比で表すと、Ｌ１：Ｌ２＝１．０９５：１になっている。第１壁部１と第２壁部２との水平方向の長さの比を変更することにより、更に小さな曲率半径に対応することも可能である。
【００３８】
（実施の形態１の効果）
（１）実施の形態１に係る篭体１０、１０ａ、１０ｂ、１０ｃは、内部に中詰材を詰める篭体１０、１０ａ、１０ｂ、１０ｃであって、連結され篭体１０、１０ａ、１０ｂ、１０ｃの側面を構成する壁部を備え、壁部は、互いに対向する第１壁部１及び第２壁部２と、第１壁部１及び第２壁部２に連結される２つの側壁部３、４を備える。第１壁部１は、壁部の立設方向に直交する方向において、第２壁部２よりも長い。
このように構成されることにより、篭体１０、１０ａ、１０ｂ、１０ｃは、平面視において台形に形成される。複数の台形の篭体１０、１０ａ、１０ｂ、１０ｃをそれぞれの第１壁部１を谷側に向け、それぞれ端部同士を突き合わせるように配置することによって、土留め構造１００は、谷側から見て隙間９２１が生じないように並べることができる。これにより、土留め構造１００は、隙間９２１を埋める処理を行うことなく、景観を損ねずに設置することができる。
【００３９】
（２）実施の形態１に係る篭体１０、１０ａ、１０ｂ、１０ｃによれば、２つの側壁部３、４は、水平方向の長さが等しい。
（３）また、第１壁部１と第２壁部２とは、平行に配置されている。
このように構成されることにより、篭体１０、１０ａ、１０ｂ、１０ｃは、平面視において等脚台形に形成される。このとき、篭体１０、１０ａ、１０ｂ、１０ｃは、第１壁部１側からみて左右対称な形状となる。第１壁部１を谷側に向けた篭体１０ａと、第２壁部２を谷側に向けた篭体１０ｂとを交互に並べ、隣合った篭体１０ａ、１０ｂの側壁部３と側壁部４とを接して並べることにより篭体１０ａ、１０ｂとの間に隙間を生じさせることなく、直線状に並べることができる。また、篭体１０、１０ａ、１０ｂ、１０ｃは、対称形状であるため、製造も容易である。
【００４０】
（４）実施の形態１に係る篭体１０、１０ａ、１０ｂ、１０ｃによれば、第１壁部１の上端部と第２壁部２の上端部との間に架け渡される底面材５２を備える。
このように構成されることにより、篭体１０、１０ａ、１０ｂ、１０ｃは、側壁部３、４の他に第１壁部１と第２壁部２との間を接続する底面材５２が設けられているため、強度及び剛性が高く、篭体１０、１０ａ、１０ｂ、１０ｃに外力がかかっても変形しにくい。
【００４１】
（５）実施の形態１に係る篭体１０、１０ａ、１０ｂ、１０ｃによれば、底面材５２ｂは、第１壁部１に固定されている第１固定部５３ｂから第２壁部２に固定されている第２固定部５４ｂを結ぶ仮想線が第１壁部１又は第２壁部２に直交しないように配置されている。
（６）また、実施の形態１に係る篭体１０、１０ａ、１０ｂ、１０ｃによれば、複数の底面材５２を備える。一部の底面材５２ｂは、当該一部の底面材５２ｂの第１壁部１に固定されている第１固定部５３ｂから第２壁部２に固定されている第２固定部５４ｂを結ぶ仮想線が当該一部の底面材５２ｂ以外の底面材５２ａの第１固定部５３ａから第２固定部５４ａを結ぶ仮想線と交差する向きに配置されている。
このように構成されることにより、底面材５２ｂも側壁部３、４と同じく第１壁部１に対し斜めに取り付けられるため、平面視において篭体１０、１０ａ、１０ｂ、１０ｃの側壁部３、４側から第１壁部１に平行な方向に力がかかった場合に、篭体１０、１０ａ、１０ｂ、１０ｃの強度及び剛性が向上する。
【００４２】
（７）実施の形態１に係る篭体１０、１０ａ、１０ｂ、１０ｃによれば、一部の底面材５２ｂ以外の底面材５２ａは、第１壁部１に固定されている第１固定部５３ａから第２壁部２に固定されている第２固定部５４ａを結ぶ仮想線が第１壁部１及び第２壁部２に対し直交している。
このように構成されることにより、篭体１０、１０ａ、１０ｂ、１０ｃは、第１壁部１及び第２壁部２に垂直な底面材５２ａと、底面材５２ａに平行でない底面材５２ｂとが組み付けられているため、平面視において台形に構成された篭体１０、１０ａ、１０ｂ、１０ｃの形状が変形しにくい。
【００４３】
（８）実施の形態１に係る篭体１０、１０ａ、１０ｂ、１０ｃによれば、一部の底面材５２ｂは、側壁部３、４側に配置され、一部の底面材５２ｂ以外の底面材５２ａは、第１壁部１の中央部に固定されている。
このように構成されることにより、篭体１０、１０ａ、１０ｂ、１０ｃは、第１壁部１又は第２壁部２に対し垂直な方向にかかる力と、側壁部３、４側からかかる力の両方に対し、強度及び剛性を高くすることができる。そのため、土留め構造１００に用いられた際に外力に対し変形することがなく、強固な土留め構造１００を構成することができる。
【００４４】
（９）実施の形態１に係る篭体１０、１０ａ、１０ｂ、１０ｃによれば、第１壁部１の下端部と第２壁部２の下端部との間に架け渡される上面材６２を備える。
（１０）実施の形態１に係る篭体１０、１０ａ、１０ｂ、１０ｃによれば、上面材６２ｂは、第１壁部１に固定されている第１固定部６３ｂから第２壁部２に固定されている第２固定部６４ｂを結ぶ仮想線が第１壁部１又は第２壁部２に直交しないように配置されている。
（１１）実施の形態１に係る篭体１０、１０ａ、１０ｂ、１０ｃによれば、複数の上面材６２を備え、一部の上面材６２ｂは、当該一部の上面材６２ｂの第１壁部１に固定されている第１固定部６３ｂから第２壁部２に固定されている第２固定部６４ｂを結ぶ仮想線が当該一部の上面材６２ｂ以外の上面材６２ａの第１固定部６３ａから第２固定部６４ａを結ぶ仮想線と交差する向きに、配置されている。
（１２）実施の形態１に係る篭体１０、１０ａ、１０ｂ、１０ｃによれば、一部の上面材６２ｂ以外の上面材６２ａは、第１壁部１に固定されている第１固定部６３ａから第２壁部２に固定されている第２固定部６４ａを結ぶ仮想線が第１壁部１及び第２壁部２に対し直交している。
（１３）実施の形態１に係る篭体１０、１０ａ、１０ｂ、１０ｃによれば、一部の上面材６２ａは、第１壁部１の中央部に固定され、一部の上面材６２ｂ以外の上面材６２ｂは、側壁部３、４に隣合って配置されている。
このように構成されることにより、篭体１０、１０ａ、１０ｂ、１０ｃの上面材６２に対しても底面材５２と同様の構成をとることができる。そのため、上面材６２を（９）〜（１３）のように構成することにより、篭体１０、１０ａ、１０ｂ、１０ｃは、上記（４）〜（８）と同様な効果を得ることができる。また、底面材５２を上記（４）〜（８）に記載したような構成にし、かつ上面材６２を上記（９）〜（１３）のような構成にすることにより、篭体１０、１０ａ、１０ｂ、１０ｃは、さらに強度及び剛性を向上させることができる。
【００４５】
（１４）実施の形態１に係る土留め構造１００は、（１）〜（１３）の何れか１項に記載の篭体１０、１０ａ、１０ｂ、１０ｃを水平方向に複数並べて構成される土留め構造１００であって、隣合った２つの篭体１０、１０ａ、１０ｂ、１０ｃは、第１壁部１を谷側に向け、互いの第１壁部１の端部同士を突き合わせて配置される。
（１５）実施の形態１に係る土留め構造１００は、（１）〜（１３）の何れか１項に記載の篭体１０、１０ａ、１０ｂ、１０ｃを水平方向に複数並べて構成される土留め構造１００であって、隣合った２つの篭体１０、１０ａ、１０ｂ、１０ｃは、互いの第１壁部１の端部と第２壁部２の端部とを突き合わせて配置される。
このように構成されることにより、土留め構造１００は、谷側から見て複数の篭体１０、１０ａ、１０ｂ、１０ｃの間に隙間が生じることがない。土留め構造１００は、隙間が無いため、隙間にゴミなどが堆積することもなく、施工の際に隙間を埋める作業も発生しない。ひいては、景観を損ねること無く強固な土留め構造１００を得ることができる。
【符号の説明】
【００４６】
１  第１壁部、２  第２壁部、３  側壁部、４  側壁部、５  底部、６  天井部、１０  篭体、１０ａ  篭体、１０ｂ  篭体、１０ｃ  篭体、１１  底部材、１２  縦材、１３  横材、１５  上面部材、５２  底面材、５２ａ  底面材、５２ｂ  底面材、５３  第１固定部、５３ａ  第１固定部、５３ｂ  第１固定部、５４  第２固定部、５４ａ  第２固定部、５４ｂ  第２固定部、５５ａ  仮想線、５５ｂ  仮想線、６２  上面材、６２ａ  上面材、６２ｂ  上面材、６３  第１固定部、６３ａ  第１固定部、６３ｂ  第１固定部、６４  第２固定部、６４ａ  第２固定部、６４ｂ  第２固定部、６５ａ  仮想線、６５ｂ  仮想線、１００  土留め構造、１１１  直線部、１１２  曲線部、１１３  曲線部、１１４  直線部、１１５  曲線部、１２１  隙間、９００  土留め構造、９１０  篭体、９１１  直線部、９１２  曲線部、９１３  曲線部、９２１  隙間、９２２  隙間、Ｌ１  （第１壁部の）長さ、Ｌ２  （第２壁部の）長さ。
【図１】
2019031779.tif 000003
【図２】
2019031779.tif 000004
【図３】
2019031779.tif 000005
【図４】
2019031779.tif 000006
【図５】
2019031779.tif 000007
【図６】
2019031779.tif 000008
【図７】
2019031779.tif 000009